【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】  回転駆動される少なくとも１つ以上の像担持体と、
当該像担持体上に静電潜像を形成する潜像手段と、
前記像担持体上の静電潜像に現像剤であるトナーを供給する現像ローラから供給されたトナーを付着させトナー像を形成する現像手段と、
転写材を所定方向に搬送する搬送手段と、
前記像担持体上のトナー像を前記搬送手段により搬送されている転写材へ転写する転写手段と、
前記現像手段の現像ローラと前記像担持体の離間及び当接を行う現像離間手段と、
画像形成のために前記各手段のアクチュエータに対して駆動指令を出す制御手段とを有し、
前記アクチュエータの故障または異常を診断するための診断モードを有する画像形成装置において、
前記像担持体を駆動するアクチュエータに対する診断モードの実行を指示するコマンドを受信したときに、前記像担持体と前記現像手段の現像ローラとが当接状態にある場合は、前記コマンドに従った前記像担持体に対する診断モードの実行を行わないことを特徴とする画像形成装置。
【請求項２】  前記像担持体を駆動するアクチュエータに対する診断モードの実行を指示するコマンドを受信したときに、前記像担持体と前記現像手段の現像ローラとが当接状態にある場合は、前記コマンドに従った前記像担持体に対する診断モードの実行不可能エラーを報知することを特徴とする請求項１に記載の画像形成装置。
【請求項３】  前記像担持体を駆動するアクチュエータに対する診断モードの実行を指示するコマンドを受信したときに、前記像担持体と前記現像手段の現像ローラとが当接状態にある場合は、前記現像離間手段により前記像担持体と前記現像手段の現像ローラとを離間状態とすることを特徴とする請求項１に記載の画像形成装置。
【請求項４】  回転駆動される少なくとも１つ以上の像担持体と、
当該像担持体上に静電潜像を形成する潜像手段と、
前記像担持体上の静電潜像に現像剤であるトナーを供給する現像ローラから供給されたトナーを付着させトナー像を形成する現像手段と、
転写材を所定方向に搬送する搬送手段と、
前記像担持体上のトナー像を前記搬送手段により搬送されている転写材へ転写する転写手段と、
前記現像手段の現像ローラと前記像担持体の離間及び当接を行う現像離間手段と、
画像形成のために前記各手段のアクチュエータに対して駆動指令を出す制御手段とを有し、
前記アクチュエータの故障または異常を診断するための診断モードを有する画像形成装置において、
前記像担持体を駆動するアクチュエータまたは前記搬送手段を駆動するアクチュエータのどちらか一方に対する診断モードの実行を指示するコマンドを受信したときに、診断モードを指示された一方のアクチュエータが駆動状態又は停止状態のいずれかの状態であり、且つ、他方のアクチュエータが異なる状態にある場合は、他方のアクチュエータの状態を診断モードに指示された一方のアクチュエータの同一の状態とすることを特徴とする画像形成装置。
【請求項５】  前記像担持体を駆動するアクチュエータまたは前記搬送手段を駆動するアクチュエータのどちらか一方に対する診断モードの実行を指示するコマンドを受信したときに、診断モードを指示された一方のアクチュエータが駆動状態であり、且つ、他方のアクチュエータが停止状態にある場合は、他方のアクチュエータに対して駆動指令を発行することを特徴とする請求項４に記載の画像形成装置。
【請求項６】  前記像担持体を駆動するアクチュエータまたは前記搬送手段を駆動するアクチュエータのどちらか一方に対する診断モードの実行を指示するコマンドを受信したときに、診断モードを指示された一方のアクチュエータが停止状態であり、且つ、他方のアクチュエータが駆動状態にある場合は、他方のアクチュエータに対して停止指令を発行することを特徴とする請求項４に記載の画像形成装置。
【手続補正２】
【補正対象書類名】明細書
【補正対象項目名】００１３
【補正方法】変更
【補正の内容】
【００１３】
【課題を解決するための手段および作用】
請求項１記載の画像形成装置において、回転駆動される少なくとも１つ以上の像担持体と、当該像担持体上に静電潜像を形成する潜像手段と、前記像担持体上の静電潜像に現像剤であるトナーを供給する現像ローラから供給されたトナーを付着させトナー像を形成する現像手段と、転写材を所定方向に搬送する搬送手段と、前記像担持体上のトナー像を前記搬送手段により搬送されている転写材へ転写する転写手段と、前記現像手段の現像ローラと前記像担持体の離間及び当接を行う現像離間手段と、画像形成のために前記各手段のアクチュエータに対して駆動指令を出す制御手段とを有し、前記アクチュエータの故障または異常を診断するための診断モードを有する画像形成装置において、
前記像担持体を駆動するアクチュエータに対する診断モードの実行を指示するコマンドを受信したときに、前記像担持体と前記現像手段の現像ローラとが当接状態にある場合は、前記コマンドに従った前記像担持体に対する診断モードの実行を行わないことを特徴とする。
【手続補正３】
【補正対象書類名】明細書
【補正対象項目名】００１４
【補正方法】変更
【補正の内容】
【００１４】
請求項２記載の画像形成装置において、前記像担持体を駆動するアクチュエータに対する診断モードの実行を指示するコマンドを受信したときに、前記像担持体と前記現像手段の現像ローラとが当接状態にある場合は、前記コマンドに従った前記像担持体に対する診断モードの実行不可能エラーを報知することを特徴とする。
【手続補正４】
【補正対象書類名】明細書
【補正対象項目名】００１５
【補正方法】変更
【補正の内容】
【００１５】
請求項３記載の画像形成装置において、前記像担持体を駆動するアクチュエータに対する診断モードの実行を指示するコマンドを受信したときに、前記像担持体と前記現像手段の現像ローラとが当接状態にある場合は、前記現像離間手段により前記像担持体と前記現像手段の現像ローラとを離間状態とすることを特徴とする。
【手続補正５】
【補正対象書類名】明細書
【補正対象項目名】００１６
【補正方法】変更
【補正の内容】
【００１６】
請求項４に記載の画像形成装置において、回転駆動される少なくとも１つ以上の像担持体と、当該像担持体上に静電潜像を形成する潜像手段と、前記像担持体上の静電潜像に現像剤であるトナーを供給する現像ローラから供給されたトナーを付着させトナー像を形成する現像手段と、転写材を所定方向に搬送する搬送手段と、前記像担持体上のトナー像を前記搬送手段により搬送されている転写材へ転写する転写手段と、前記現像手段の現像ローラと前記像担持体の離間及び当接を行う現像離間手段と、画像形成のために前記各手段のアクチュエータに対して駆動指令を出す制御手段とを有し、前記アクチュエータの故障または異常を診断するための診断モードを有する画像形成装置において、前記像担持体を駆動するアクチュエータまたは前記搬送手段を駆動するアクチュエータのどちらか一方に対する診断モードの実行を指示するコマンドを受信したときに、診断モードを指示された一方のアクチュエータが駆動状態又は停止状態のいずれかの状態であり、且つ、他方のアクチュエータが異なる状態にある場合は、他方のアクチュエータの状態を診断モードに指示された一方のアクチュエータの同一の状態とすることを特徴とする。
【手続補正６】
【補正対象書類名】明細書
【補正対象項目名】００１７
【補正方法】変更
【補正の内容】
【００１７】
請求項５に記載の画像形成装置において、前記像担持体を駆動するアクチュエータまたは前記搬送手段を駆動するアクチュエータのどちらか一方に対する診断モードの実行を指示するコマンドを受信したときに、診断モードを指示された一方のアクチュエータが駆動状態であり、且つ、他方のアクチュエータが停止状態にある場合は、他方のアクチュエータに対して駆動指令を発行することを特徴とする。
【手続補正７】
【補正対象書類名】明細書
【補正対象項目名】００１８
【補正方法】変更
【補正の内容】
【００１８】
請求項６に記載の画像形成装置において、前記像担持体を駆動するアクチュエータまたは前記搬送手段を駆動するアクチュエータのどちらか一方に対する診断モードの実行を指示するコマンドを受信したときに、診断モードを指示された一方のアクチュエータが停止状態であり、且つ、他方のアクチュエータが駆動状態にある場合は、他方のアクチュエータに対して停止指令を発行することを特徴とする。
【手続補正８】
【補正対象書類名】明細書
【補正対象項目名】００１９
【補正方法】削除
【補正の内容】